(57)【要約】【課題】前面に開口する凹所の底部にろうそく立てや線香台を設けた構造の石製の香炉台において、熱による凹所天井面の劣化を防止し、簡単が構造で香炉台の外観を良好な状態に維持できるようにする。【解決手段】凹所４の天井面８とその下方のろうそく立て５を遮断する金属製、好ましくはステンレス製の遮熱板７を設ける。遮熱板７は、凹所の天井面８との間に間隙９を設けて着脱可能に装着する。例えば、屈曲した遮熱板７をそれ自体の弾性復元力によって凹所４の側面上部に係止させて装着する。遮熱板７に添設して凹所４の手間側に引き出される庇板を設けることもできる。凹所４の天井部に装着された金属製の遮熱板７は、凹所の石製の天井面８が凹所４内で燃焼するろうそくの火で直接加熱されるのを防止し、当該天井面８に生ずる熱応力を軽減し、繰り返し使用による天井面８の劣化を防止する。【選択図】      図２
2005179923.tif 000002
【特許請求の範囲】
【請求項１】
前面に開口する凹所(4)の底部にろうそく立て(5)ないし線香台(6)を備えた石製の香炉台において、前記凹所の天井部に配置される金属製の遮熱板(7)を備えている、香炉台。
【請求項２】
屈曲した遮熱板(7)が、それ自体の弾性復元力によってその対向辺を凹所(4)の側面上部に係止させて装着されている、請求項１記載の香炉台。
【請求項３】
凹所(4)の前面開口を閉鎖する扉(10)と、この扉に設けられた通気孔(17)とを備えた香炉台において、当該扉が家名ないし家紋を表示した表示面(32,33)を備えている、請求項１又は２記載の香炉台。
【発明の詳細な説明】
【技術分野】
【０００１】
この発明は、墓所や礼拝所に設置する石製の香炉台に関するもので、前面に開口する凹所の底部にろうそく立てや線香台を設けた香炉台の構造に関するものである。
【背景技術】
【０００２】
墓所や礼拝所に設置される一般的な香炉台は、その上面にろうそく立てや線香台を設けている。屋外に設けられる上記構造の香炉台では、ろうそくや線香が風雨に晒された状態となるので、風のある日にはろうそくの火が消えやすく、また雨の日には線香が湿って火が消え、使用した後が汚くなる。
【０００３】
そこで、香炉台に前面が開口された凹所を設け、この凹所の底部にろうそく立てや線香台を設けることにより、ろうそくや線香の火を風雨から保護されるようにした香炉台が提案されている。更にこの凹所の前面に扉を設けた構造や、その扉を開いたときに、ろうそく立てや線香台を凹所から手前に引き出せるようにした香炉台が提唱されている。
【０００４】
凹所の底部にろうそく立てや線香台を固定的に設けた香炉台では、ろうそくや線香が凹所内で燃焼することとなる。また、凹所内にろうそく立てや線香台を引き出し可能に設けた構造では、引き出した状態でろうそくや線香が点火され、晴れた日であれば引き出された状態で礼拝が行われるであろうが、礼拝が終わった後や風雨の火には、ろうそく立てや線香台が凹所内に戻され、従ってろうそくや線香は凹所内でも燃焼することになる。
【特許文献１】特開２００２‐２５０１５１号公報
【特許文献２】特開２００３‐１３８７８７号公報
【発明の開示】
【発明が解決しようとする課題】
【０００５】
凹所内でろうそくを燃焼すると、その天井面がろうそくの火であぶられる。また、凹所の上部、特にその天井面が煤で汚れることが予想される。また、ろうそくを凹所の手前に引き出した状態で燃焼させると、香炉台の前面の凹所の上方部分が煤で汚れるおそれがある。そのため、ろうそくや線香を凹所内で燃焼させる香炉台では、凹所の天井面や香炉台の前面上部が長年の使用によって汚れると考えられる。
【０００６】
また、更に問題となるのは、熱によって凹所の天井面が細かくひび割れて、徐々に剥がれ落ちてくる問題が生ずる可能性があることである。石は圧縮力には強いが、引張り力や剪断力には弱く、温度差があると局部的な熱変形のために、石材内に大きな内部応力が生ずることが予想される。ろうそくの火で凹所の天井面が急激に加熱されることがあると、表面と下層との間に熱応力が生じ、それが繰り返し作用することで、長年の使用により凹所の天井がぼろぼろになって見苦しくなるおそれがある。
【０００７】
この発明は、前面に開口する凹所を設けて、その底部にろうそく立てや線香台を設けた構造の香炉台において、予想される上記の問題を予防することができ、簡単が構造で香炉台の外観を良好な状態に維持できるようにすることを課題としており、更に外観のより優れた香炉台を得ることを課題としている。
【課題を解決するための手段】
【０００８】
本願の請求項１の発明は、前面に開口する凹所４の底部にろうそく立て５ないし線香台６を備えた石製の香炉台において、前記凹所４の天井面８とその下方のろうそく立て５を遮断する金属製、好ましくはステンレス製の遮熱板７を設けることにより、上記課題を解決したものである。
【０００９】
遮熱板７は、凹所の天井面８との間に間隙９を設けて着脱可能に装着するのが好ましい。特に好ましい構造の例としては、請求項２に記載のように、屈曲した遮熱板７が、それ自体の弾性復元力によってその対向辺を凹所４の側面上部に係止させて装着する構造を挙げることができる。
【００１０】
遮熱板７を係止させる凹所の側面上部には、引っかかりのための小さな溝ないし凹部を設けるか、祖面にして遮熱板７の係止を確実にするのが好ましい。
【００１１】
また遮熱板７に添設して凹所４の手間側に引き出される庇板２４を設ける構造は、使用時にろうそく立て５や線香台６が凹所４の手間側に引き出される構造の香炉台に特に好適で、使用時に庇板２４を引き出すことにより、凹所４から引き出された位置で燃焼するろうそくや線香により凹所４の上方の香炉台前面が煤や煙により汚れるのを防止できる。
【００１２】
凹所４の前面開口に通気孔１７を備えた開閉扉１０を設けた香炉台においては、当該扉の前面に通気孔１７が配置されていない表示面３２を設けて、当該表示面に家名ないし家紋を配置することができる。
【００１３】
また他の形態として、凹所４の前面開口を閉鎖する扉１０を設けて、この扉に通気孔１７を配置した香炉台において、通気孔１７を扉面に部分的に配置すると共に通気孔１７が配置されない扉面を装飾模様の配置面３３とすることで、扉１０を閉じた状態でもろうそくや線香が燃焼し続け、かつ装飾性に優れた香炉台が得られる。
【００１４】
この場合の通気孔は、凹所４が昆虫の棲みかとなるのを防止するために、全体として凹所４内に十分な光が採り入れられる面積とするのが好ましい。更に必要に応じて、扉１０の通気孔１７を配置した領域の裏面に、ガラス板やステンレス金網を添設することにより、通気孔１７から香炉台内部に昆虫が侵入するのをより確実に防止することができる。
【発明の効果】
【００１５】
凹所４の天井部に装着された金属製の遮熱板７は、凹所の石製の天井面８が凹所４内で燃焼するろうそくの火で直接加熱されるのを防止し、当該天井面８に生ずる熱応力を軽減して、繰り返し使用による天井面８の劣化を防止する。また、この遮熱板７は、ろうそくの燃焼によって生ずる気流や線香の煙が直接当らないように天井面８を保護しているので、石製の天井面８に煤や汚れが付着するのを防止できる。煤や汚れは遮熱板７に付着することとなるが、当該遮熱板を着脱可能に設けることによって、遮熱板７の清掃や交換が容易に可能になるので、香炉台の清浄状態を維持することができる。
【００１６】
またこの遮熱板７を石製の天井面８との間に間隙９を設けて装着することにより、ろうそくの火で石製の天井面８が熱せられるのをより確実に防止できる。そして、請求項２の構造を採用することによって、遮熱板７の着脱が極めて容易になると共に、遮熱板７と石製の天井面８との間に間隙９が自ずと形成されることになって、上述した好ましい作用が簡単な構造で発揮されるようになるばかりでなく、接着剤で遮熱板７を取り付けた場合に生ずる熱による接着剤の劣化の問題を回避することができる。
【００１７】
更に本願請求項３の発明により、凹所に扉１０を設けた香炉台において、凹所の内部のみでなく、扉を閉じたときの外観にも優れた香炉台を提供することができ、請求項１、２の発明と相俟って美感に優れ、かつ当該美感を長年に亘って維持することが可能な香炉台を提供することができるという効果がある。
【発明を実施するための最良の形態】
【００１８】
以下、図面を参照してこの発明の好ましい実施形態の幾つかについて説明する。
図１は、凹所に扉を備えていない香炉台の例を示した斜視図である。図の香炉台１は、墓所用の香炉台で、上面両側に花立て２が配置されている。香炉台１の背後には墓本体が配置されるが、図には香炉台１のみが示されている。香炉台１には前面３に開口を備えた矩形の凹所４が設けられており、その底面にろうそく立て５及び線香台６が固定的に設けられている。
【００１９】
凹所４の内壁面は、仕上げ研磨によって鏡面に近い状態に仕上られているが、その両側面の上部に図示できないほどの僅かな水平方向の凹溝ないし条痕がのみや鋸歯で石材表面を切除することによって形成されており、中凸状に屈曲されたステンレス板からなる遮熱板７がその両側辺を前記凹溝ないし条痕に係止された状態で装着されている。
【００２０】
遮熱板７の幅寸法は、凹所４の幅寸法より若干広く、この遮熱板７を強制的に中凸状に屈曲することにより、幅寸法を縮めて凹所４内に挿入し、その屈曲状態から復元しようとする弾力で両側辺が拡がろうとする力を利用して、当該両側辺を前記凹溝ないし条痕に係止させて装着している。遮熱板７は、その両側辺で係止されて石製の凹所の天井面８との間に間隙９が形成されている。また、この遮熱板７は、下面を上方に押して更に屈曲させることにより、取り外すことができる。
【００２１】
図２は、凹所４の前面開口を開閉する扉１０を設けた香炉台において、図１と同様な構造で遮熱板７を装着した例を示した図である。香炉台１に図１と同様な形状で設けられた凹所４には、図１で説明したと同様な構造で遮熱板７が装着されている。扉１０は両開き型で、それぞれの側辺が凹所４の前面左右端で香炉台本体１に枢着されている。扉１０の下縁には、内側に延びる受板１５が一体に形成されており、両側の扉の受板１５に装架された状態で、受板１５の上面に台板１６が載置されており、この台板１６の上面にろうそく立て５及び線香台６が取り付けられている。
【００２２】
扉１０を手前側に開くと、受板１５も扉１０と一体になって前方へ回動し、その上に搭載されている台板１６は、凹所４から手前側へと引き出される。この状態でろうそくや線香を供えるのであるが、ろうそくや線香に火をつけた後、扉１０を閉じれば、当該ろうそくや線香は凹所４内で燃焼することとなる。扉１０には燃焼空気や煙を凹所内に流通させるための多数の通気孔１７が設けられており、ろうそくや線香は凹所内で燃焼し続けることができる。
【００２３】
このような燃焼状態では、扉１０を開放したときに比べて凹所４内の温度上昇がより大きくなり、凹所の天井面の温度上昇も大きくなるが、この発明の構造によれば、遮熱板７が石製の凹所の天井面８が熱せられるのを防止し、また煤や汚れが付着するのを防止するので、当該天井面の劣化や汚れが防止されることとなる。このように凹所４に扉１０を設けたものでは、凹所４の天井面が扉１０を有しないものに比べてより高温となるので、この発明の構造を採用する利点が大きい。
【００２４】
図２に示した香炉台では、ろうそくや線香が凹所４から手前に引き出された状態で燃焼するのが一般的である。また、図１に示した香炉台においても、凹所４内で燃焼するろうそくや線香の煙が香炉台の前面上部を通って流れ、そのために当該部分に煤や汚れが付着することが考えられる。この問題は、図３に示すように、遮熱板７に引き出し可能な庇板２４を設けることによって解決することができる。
【００２５】
図３に示した遮熱板７は、側辺２１の手前側に幾つかの切込み２２が設けられており、この切込みによって形成された舌片２３が上方に折り返した状態で屈曲されている。この舌片２３と遮熱板７との間に庇板２４が、その両側辺を舌片２３で案内された状態で挿入されている。庇板２４の前縁中央には、下方に折り曲げた指掛け２５が形成され、奥辺２６の両端には、舌片２３に係止されるストッパ２７が上方へ折り曲げて形成されている。遮熱板７及び庇板２４は、図１、２で説明した遮熱板と同様に上方へ屈曲した状態で凹所の天井部に装着される。
【００２６】
このようにして装着した遮熱板の庇板２４は、指掛け２５に指を掛けて引き出すことによって、ストッパ２７が奥側の舌片２３に当接するまで引き出すことができ、また、指掛け２５を押すことによって凹所４内に挿入することができる。従って、ろうそくや線香を燃焼するとき、この庇板２４を引き出してやれば、ろうそくの燃焼流や線香の煙は庇板の前縁まで導かれたあと上昇してゆくので、香炉台に設けた凹所の上部前面が煤や煙で汚れるのをより確実に防止できる。また庇２０を引き出すことにより、ろうそくや線香の火を風雨からより確実に保護することができる。
【００２７】
手前に引き出して開く扉１０を備えた香炉台においては、遮熱板７を扉１０の上縁に固定して設けることもできる。図４はその例を示した図である。この例では、扉１０の下辺から内側に延在された受板１５の上面にろうそく立て５ないし線香台を設けており、当該扉１０の上縁にステンレス製の遮熱板７の前縁を固定して設けている。受板１５上のろうそく立て５や線香台は、扉１０を開いたときに引出され、扉１０を閉めると凹所内に収容されるが、同時に遮熱板７も扉１０の開閉と共に引出されあるいは収納される。従ってこの構造の遮熱板７は、扉の開閉に関らず常にろうそく立て５や線香台の上部でその熱や煙を遮蔽することとなる。
【００２８】
図２や図４に示した扉１０の前面に、図５に示すように、家名３０や彫り模様３１を設けることにより、より装飾性に優れた香炉台を提供できる。図５に示した例では、両側の扉１０の中央に設けられる打合せ部３２を広くして、その前面３３に家名３０を刻んであり、その両側の通気孔１７が設けられていない部分３３に、例えば蓮や鳳凰などの模様３１を刻設している。
【００２９】
通気孔１７は十分な面積で設けて、扉１０を閉めたときにも凹所４内に十分な光が入るようにして、凹所４が昆虫の棲みかとなって不潔になるのを可及的に防止する。更に完全を期す場合には、扉１０の裏面にガラス板や金網を添設して通気孔１７を塞ぐことにより、凹所４内への昆虫の侵入を防止する。このとき、図６に示すように、扉１０の裏面に複数個のＬ形金具３４を取付け、このＬ形金具に耐熱ガラス板ないしステンレス金網３５を係止して取付けるようすれば、汚れたり破損したときにガラス板や金網を容易に交換できる。
【図面の簡単な説明】
【００３０】
【図１】この発明の第１実施例を示した斜視図
【図２】同第２実施例を示した斜視図
【図３】庇を設けた遮熱板の斜視図
【図４】裏面上縁に遮熱板を固定した扉の例を示す斜視図
【図５】図２の実施例の扉を閉めた状態を示す斜視図
【図６】裏面にガラス板ないし金網を着脱可能に設けた扉の背面斜視図
【符号の説明】
【００３１】
４  凹所
５  ろうそく立て
６  線香台
10  扉
17  通気孔
32  打合せ部
33  前面
【図１】
2005179923.tif 000003
【図２】
2005179923.tif 000004
【図３】
2005179923.tif 000005
【図４】
2005179923.tif 000006
【図５】
2005179923.tif 000007
【図６】
2005179923.tif 000008